(57)【要約】【課題】効率よく被験者の測定データを収集できる活動量計を提供することにある。【解決手段】活動量計は、人体に装着され加速度を検出する加速度検出手段１と、ユーザＩＤを登録するユーザＩＤ登録手段２ａと、ユーザＩＤ登録手段２ａにより登録された複数のユーザＩＤのなかから使用するユーザＩＤを選択するユーザＩＤ選択手段２ｂと、加速度検出手段１により得られた加速度を元にして活動量を算出する活動量算出手段２ｃと、活動量算出手段２ｃで算出された活動量の記憶に用いられる測定データ記憶手段３と、ユーザＩＤ選択手段２ｂで選択されたユーザＩＤと活動量算出手段２ｃにより算出された活動量とを関連付けて測定データ記憶手段３に格納する測定データ格納手段２ｄとを備える。【選択図】図１
2008237617.tif 000002
【特許請求の範囲】
【請求項１】
人体に装着され加速度を検出する加速度検出手段と、ユーザＩＤを登録するユーザＩＤ登録手段と、ユーザＩＤ登録手段により登録された複数のユーザＩＤのなかから使用するユーザＩＤを選択するユーザＩＤ選択手段と、加速度検出手段により得られた加速度を元にして活動量を算出する活動量算出手段と、活動量算出手段で算出された活動量の記憶に用いられる測定データ記憶手段と、ユーザＩＤ選択手段で選択されたユーザＩＤと活動量算出手段により算出された活動量とを関連付けて測定データ記憶手段に格納する測定データ格納手段とを備えていることを特徴とする活動量計。
【請求項２】
表示手段と、表示手段にユーザＩＤ選択手段で選択されたユーザＩＤを表示させる表示制御手段とを備えていることを特徴とする請求項１記載の活動量計。
【請求項３】
活動量の測定を開始または停止させる操作手段を備えていることを特徴とする請求項１または２記載の活動量計。
【発明の詳細な説明】
【技術分野】
【０００１】
本発明は、人体に装着されて活動量の測定を行う活動量計に関するものである。
【背景技術】
【０００２】
従来から、人体に装着されて、人の運動強度（活動強度）や、人の行動によって消費された運動エネルギなどの活動量の測定を行なう活動量計が提案されている。
【０００３】
例えば、特許文献１には、被験者（被測定体）のデータを入力する入力部と、加速度センサと、活動データ処理部と、カレンダ部と、表示部と、記憶部と、データ受信部と、データ送信部とから構成された活動量計（活動状態測定装置）が開示されている。
【０００４】
この特許文献１の活動量計は、加速度センサから出力される信号（アナログ信号）を、加速度データ（デジタル信号）に変換し、変換した加速度データから活動データ（活動強度）を作成し、この活動データを元にして、運動エネルギ（運動消費量）の算出などを行うようになっている。
【特許文献１】特開２００４−１２１５６２号公報
【発明の開示】
【発明が解決しようとする課題】
【０００５】
近年では、上記のような活動量計の普及に伴い、健康管理などの保健指導や、健診を行う健診事業においても活動量計が利用されるようになってきている。例えば、活動量計を利用して、被験者の１週間の活動量を測定することで、日頃の運動不足の評価などを行う。
【０００６】
このような健診事業では、多くの人を対象に健診などを行うため、被験者の活動量などの測定データを効率よく収集したいという要望がある。
【０００７】
しかしながら、従来の活動量計では、一人分の活動量などの測定データしか記憶できないため、被験者の測定が終了する毎に測定データを収集する必要が生じ、その結果、測定データの収集に時間と労力がかかり、測定データの収集がスムーズに行えず、効率が悪いという問題があった。
【０００８】
このような問題を解決するためには、被験者の一人一人に活動量計を渡せばよいが、その健診事業の実施に必要なコストが高くなるという別の問題が生じる。
【０００９】
本発明は上述の点に鑑みて為されたもので、その目的は、効率よく被験者の測定データを収集できる活動量計を提供することにある。
【課題を解決するための手段】
【００１０】
上述の問題を解決するために、請求項１の発明では、人体に装着され加速度を検出する加速度検出手段と、ユーザＩＤを登録するユーザＩＤ登録手段と、ユーザＩＤ登録手段により登録された複数のユーザＩＤのなかから使用するユーザＩＤを選択するユーザＩＤ選択手段と、加速度検出手段により得られた加速度を元にして活動量を算出する活動量算出手段と、活動量算出手段で算出された活動量の記憶に用いられる測定データ記憶手段と、ユーザＩＤ選択手段で選択されたユーザＩＤと活動量算出手段により算出された活動量とを関連付けて測定データ記憶手段に格納する測定データ格納手段とを備えていることを特徴とする。
【００１１】
請求項１の発明によれば、活動量算出手段で算出された活動量と、ユーザＩＤ選択手段で選択されたユーザＩＤとを関連付けて測定データ記憶手段に格納するので、被験者全員の活動量の測定が終了したときに測定データを読み出すことで被験者全員の測定データが得られるから、従来とは異なり活動量の測定が終了する毎に測定データを読み出す必要がなくなり、被験者の測定データを効率よく収集できる。
【００１２】
請求項２の発明では、請求項１の発明において、表示手段と、表示手段にユーザＩＤ選択手段で選択されたユーザＩＤを表示させる表示制御手段とを備えていることを特徴とする。
【００１３】
請求項２の発明によれば、他人のユーザＩＤを間違って使用してしまうことを防止できる。
【００１４】
請求項３の発明では、請求項１または２の発明において、活動量の測定を開始または停止させる操作手段を備えていることを特徴とする。
【００１５】
請求項３の発明によれば、操作手段を操作することにより、活動量の測定を開始または停止させることができるから、例えば、睡眠中など測定を行わない場合は、活動量の測定を停止することで、活動量計の節電や、測定データ記憶手段の使用容量の節約が行え、活動量計の電池容量およびデータ記憶手段の記憶容量が同じ場合であれば、より多くの被験者の測定データを収集できる。
【発明の効果】
【００１６】
本発明は、被験者の測定データを効率よく収集できるという効果を奏する。
【発明を実施するための最良の形態】
【００１７】
本発明の一実施形態の活動量計は、図１に示すように、人体に装着され３軸の加速度を検出する加速度検出手段１と、種々のデータ処理を行う演算処理手段２と、記憶装置からなる測定データ記憶手段３と、液晶ディスプレイ（ＬＣＤ）などの画像表示装置（図示せず）およびその駆動回路（図示せず）で構成された表示手段４と、活動量計の操作を行うユーザインタフェースである操作手段５と、活動量計を駆動する電池などの電源手段（図示せず）と、これらを収納する筐体（図示せず）とを備えている。なお、上記筐体は、例えば樹脂成形品などからなり、人が携行可能な大きさに形成されている。また、上記筐体には上記画像表示装置が露設されている。
【００１８】
加速度検出手段１は、例えば、互いに垂直な３軸の各加速度をアナログ形式で出力する３軸の加速度センサ（図示せず）と、当該３軸の加速度センサの出力を所定周期でサンプリングしデジタル形式に変換して出力する加速度検出回路（図示せず）とを備えている。
【００１９】
上記３軸の加速度センサとしては、例えば、小型で低消費電力なＭＥＭＳ（MicroElectro Mechanical Systems）を利用した加速度センサを用いている。なお、加速度センサとしては、ピエゾ抵抗型の加速度センサや、静電容量型の加速度センサなどを採用することができる。また、３軸の加速度センサとしては、２軸の加速度センサと１軸の加速度センサとを組み合わせて３軸の加速度値を出力可能としたものを用いてもよいし、１軸の加速度センサを３つ用いて３軸の加速度値を出力可能としたものを用いてもよい。
【００２０】
演算処理手段２は、例えば、上記筐体に収納されたマイクロコンピュータなどのハードウェア資源からなり、ユーザＩＤを登録するユーザＩＤ登録手段２ａと、ユーザＩＤ登録手段２ａにより登録された複数のユーザＩＤのなかから使用するユーザＩＤを選択するユーザＩＤ選択手段２ｂと、加速度検出手段１により得られた加速度を元にして活動量を算出する活動量算出手段２ｃと、ユーザＩＤ選択手段２ｂで選択されたユーザＩＤと活動量算出手段２ｃにより算出された活動量とを関連付けて測定データ記憶手段３に格納する測定データ格納手段２ｄと、表示手段４を制御する表示制御手段２ｅとを備えている。これらユーザＩＤ登録手段２ａ、ユーザＩＤ選択手段２ｂ、活動量算出手段２ｃ、測定データ格納手段２ｄ、および表示制御手段２ｅは、ハードウェア資源と共動して情報の演算、加工などを行わせるソフトウェアにより実現されている。また、演算処理手段２は、活動量計の種々の機能を発揮するために必要な手段を備えている。
【００２１】
この演算処理手段２は、主としてユーザＩＤ登録手段２ａが動作するユーザＩＤ登録モード、主としてユーザＩＤ選択手段２ｂが動作するユーザＩＤ選択モード、主として活動量算出手段２ｃおよび測定データ格納手段２ｄが動作する測定モードの３つの動作モード（すなわち活動量計の動作モード）を有しており、これら動作モードは、操作手段５により切り換えられるようになっている。
【００２２】
ユーザＩＤ登録手段２ａは、被験者を識別するためのユーザＩＤを登録するためのものであって、例えば、操作手段５により入力されたユーザＩＤを測定データ記憶手段３に記憶させることで、ユーザＩＤの登録を行うように構成されている。
【００２３】
ユーザＩＤ選択手段２ｂは、活動量の測定を行う被験者のユーザＩＤを、予めユーザＩＤ登録手段２ｂにより登録された複数のユーザＩＤ（すなわち、測定データ記憶手段３に記憶されているユーザＩＤ）のなかから選択するために用いられるものであって、操作手段５によりユーザＩＤが選択された際に、当該ユーザＩＤを測定データ格納手段２ｄに出力するように構成されている。
【００２４】
活動量算出手段２ｃは、加速度検出手段１により得られた加速度を元にして活動量を算出するものであって、本実施形態では、運動強度（活動強度）からなる活動量を算出し、算出した活動量を測定データ格納手段２ｄに出力するように構成されている。ここで、運動強度としては、アメリカスポーツ医学会で用いられている、運動時の消費エネルギが安静時の消費エネルギ（安静時代謝量）の何倍になっているかを示す値である「ＭＥＴｓ（metabolic equivalents）」値を用いており、１[ＭＥＴｓ]は、３．５[ｍｌ／ｋｇ／ｍｉｎ]の酸素消費量に相当する。
【００２５】
本実施形態における活動量算出手段２ｃでは、例えば、加速度検出手段１により得られた各軸の加速度をベクトル成分とするノルムの変動平均と、酸素消費量との関係を示すデータテーブルや、最小二乗法などにより求めた演算式などを利用して運動強度を算出するようにしている。このようなデータテーブルや、演算式などは、呼気ガス測定装置により運動の強さを変化させて測定した酸素消費量と、その運動の強さに対応する上記ノルムの変動平均との相関関係により得ることができる。なお、活動量の算出方法は上記方法に限定されるものではなく、従来周知の方法を採用してもよい。
【００２６】
ところで、活動量算出手段２ｃは、上記のように活動量を算出する機能の他に、１時間や１日などの単位時間における活動量の平均や、エクササイズ［ＭＥＴｓ・ｈ］、１日のエクササイズ量、消費カロリ、歩数、運動時間など、人の活動に関する種々のデータ（以下、「活動データ」と称する）を算出するように構成されていてもよい。なお、エクササイズや、消費カロリなどの算出方法は、従来周知のものを利用できるから詳細な説明を省略する。
【００２７】
測定データ格納手段２ｄは、ユーザＩＤ選択手段２ｂから受け取った（すなわち、ユーザＩＤ選択手段２ｂで選択された）ユーザＩＤと、活動量算出手段２ｃから受け取った（すなわち活動量算出手段２ｃにより算出された）活動量とを関連付けて測定データ記憶手段３に格納するように構成されている。
【００２８】
表示制御手段２ｅは、動作モードが、ユーザＩＤ登録モード、ユーザＩＤ選択モード、測定モードのいずれであるかによって、表示手段４の表示内容を変更する。例えば、ユーザＩＤ登録モードであれば、操作手段５によって入力中のユーザＩＤなどを表示手段４に表示し、ユーザＩＤ選択モードであれば、登録されているユーザＩＤ（測定データ記憶手段３に記憶されているユーザＩＤ）および現在選択されているユーザＩＤなどを表示手段４に表示し、測定モードであれば、活動量算出手段２ｃにより算出された活動量や、消費エネルギ、運動時間などを表示手段４に表示する。また、表示制御手段２ｅは、測定モードでは、ユーザＩＤ選択手段２ｂで選択されたユーザＩＤを表示手段４に表示させるように構成されている。
【００２９】
測定データ記憶手段３は、主として活動量算出手段２ｃで算出された活動量の記憶と、ユーザＩＤの記憶とに用いられるものであって、例えば、ＲＡＭなどの記憶装置からなる。本実施形態では、測定データ記憶手段３は、活動量計と着脱自在に構成されている。したがって、測定データ記憶手段３を活動量計から取り外して、他の外部機器（例えば、健診業者の保有する測定データ解析用の機器など）に接続することで、測定データ記憶手段３に格納された測定データを読み出すことができるようになっている。なお、測定データ記憶手段３を活動量計から着脱自在に構成する代わりに、活動量計に外部機器に測定データを送信可能な測定データ送信手段（図示せず）を設け、当該測定データ送信手段によって、測定データ記憶手段３に格納された測定データを上記外部機器に送信できるようにしてもよい。また、ユーザＩＤの記憶は、別の記憶装置により行うようにしてもよい。
【００３０】
操作手段５は、操作入力用の複数の押釦などを備えてなるユーザインタフェースであって、例えば、活動量計のオンオフを行うオンオフ操作を行うための電源釦（図示せず）、演算処理手段２の動作モードを選択するための動作モード選択釦（図示せず）、ユーザＩＤ登録モード時にユーザＩＤの登録を行うための入力釦（図示せず）、ユーザＩＤ選択モード時にユーザＩＤの選択を行うための選択釦（図示せず）、測定モード時に活動量の測定を開始させるための測定開始釦（図示せず）測定を停止させるための測定停止釦（図示せず）などを備えている。なお、操作手段５の押釦の構成は上記の例に限られるものではない。
【００３１】
以上により本実施形態の活動量計は構成されており、次に、測定データの収集の流れについて図２に示すフローチャートを参照して説明する。
【００３２】
まず、測定データの収集を開始するには、被験者それぞれのユーザＩＤを活動量計に登録する（ステップＳ１）。ここで、ユーザＩＤの登録を行うにあたっては、操作手段５の動作モード選択釦により活動量計の動作モードをユーザＩＤ登録モードに切り換えて、操作手段５の入力釦により被験者それぞれのユーザＩＤを登録すればよい。なお、このようなユーザＩＤの登録作業は、一般に、測定データを収集する健診業者により行われる。
【００３３】
ユーザＩＤの登録が終了した後には、実際に活動量の測定を行う被験者が、自身のユーザＩＤを選択する（ステップＳ２）。ここで、ユーザＩＤの選択を行うにあたっては、操作手段５の動作モード選択釦により活動量計の動作モードをユーザＩＤ選択モードに切り換えて、操作手段５の選択釦により登録されているユーザＩＤのなかから、使用するユーザＩＤを選択すればよい。また、ユーザＩＤが選択された場合には、選択されたユーザＩＤが表示制御手段２ｅによって表示手段４の画像表示装置に表示される。
【００３４】
ユーザＩＤの選択が終了した後には、活動量の測定を行うのであるが、活動量の測定を行うにあたっては、操作手段５の動作モード選択釦により活動量計の動作モードを測定モードに変更する。動作モードを測定モードに切り換えただけでは、活動量の測定は行われず、操作手段５の測定開始釦が押された際に、活動量の測定が開始される（ステップＳ３）。
【００３５】
活動量の測定が開始されると、活動量算出手段２ｃが、加速度検出手段１により得られた加速度を元にして活動量を算出する（ステップＳ４）。活動量算出手段２ｃにより算出された活動量は、上記ステップＳ２で選択されたユーザＩＤと関連付けられて、測定データ記憶手段３に格納される（ステップＳ５）。この活動量の測定は、操作手段５の測定停止釦が押されるまで継続される（ステップＳ６）。
【００３６】
そして、ユーザＩＤが登録された被験者全員について測定データが得られた場合には、ステップＳ８に進み、また測定データが全て得られていない場合には、ステップＳ２に戻り、活動量を未測定の被験者に活動量計が渡される（ステップＳ７）。
【００３７】
最後のステップＳ８では、測定データ記憶手段３から被験者全員の測定データの読み出しが行われる。なお、このような測定データの読み出しは、一般に、測定データを収集する健診業者により行われる。
【００３８】
以上述べた本実施形態の活動量計によれば、活動量算出手段２ｃで算出された活動量と、ユーザＩＤ選択手段２ｂで選択されたユーザＩＤとを関連付けて測定データ記憶手段３に格納するので、被験者全員の活動量の測定が終了したときに測定データを読み出すことで被験者全員の測定データが得られるから、従来とは異なり活動量の測定が終了する毎に測定データを読み出す必要がなくなり、被験者の測定データを効率よく収集できる。
【００３９】
また、測定を行う際には、ユーザＩＤ選択手段２ｂで選択されたユーザＩＤが表示手段４に表示されるから、他人のユーザＩＤを間違って使用してしまうことを防止できる。
【００４０】
さらに、操作手段５により被験者が任意に活動量の測定を開始または停止させることができるから、例えば、睡眠中など測定を行わない場合は、活動量の測定を停止することで、活動量計の節電や、無駄な測定データが測定データ記憶手段３に格納されることを防止でき（つまり、使用容量の節約が行え）、活動量計の電池容量および測定データ記憶手段３の記憶容量が同じ場合であれば、より多くの被験者の測定データを収集できる。
【００４１】
なお、本実施形態の加速度検出手段１では３軸の加速度センサを利用しているが、２軸の加速度センサを利用するようにしてもよく、１軸の加速度センサを利用するようにしてもよい。
【図面の簡単な説明】
【００４２】
【図１】本発明の一実施形態の活動量計のブロック図である。
【図２】測定データ収集のフローチャートである。
【符号の説明】
【００４３】
１    加速度検出手段
２ａ  ユーザＩＤ登録手段
２ｂ  ユーザＩＤ選択手段
２ｃ  活動量算出手段
２ｄ  測定データ格納手段
２ｅ  表示制御手段
３    測定データ記憶手段
４    表示手段
５    操作手段
【図１】
2008237617.tif 000003
【図２】
2008237617.tif 000004